(57)【要約】【課題】無線基地局装置の負荷量変動に沿った評価が可能な擬似呼負荷発生装置を提供する。【解決手段】スケジューリング設定部１は予め設定される無線基地局装置のＳＷ負荷量の変動推移からＢＨＣＡ変動情報を出力する。ＳＷ負荷量監視部２は無線基地局装置のＳＷ負荷量を受け取りＳＷ負荷量変動情報を出力する。擬似呼負荷量制御部３はＢＨＣＡ変動情報とＳＷ負荷量変動情報が報告されると、両者が近づくように擬似呼の負荷量となるＢＨＣＡを決定して出力する。擬似呼シグナリング処理部４はＢＨＣＡに基づき擬似呼シグナリングを発生させ無線基地局装置へ出力し、無線基地局装置から擬似呼シグナリングを受けると無線基地局装置における擬似呼シグナリングの成功数と不成功数を成功呼／不成功呼情報として出力する。呼損率計測部５は成功呼／不成功呼情報により、擬似呼シグナリングが不成功であった呼をカウントし呼損率を計測する。【選択図】        図１
2004228618.tif 000002
【特許請求の範囲】
【請求項１】
試験者によって予め設定される無線基地局装置のソフトウェア負荷量の変動推移からＢＨＣＡを決定するためのＢＨＣＡ変動情報を出力するスケジューリング設定部と、
前記無線基地局装置が常時計測している無線基地局装置のソフトウェア負荷量を受け取り、ソフトウェア負荷量変動情報を出力するソフトウェア負荷量監視部と、
前記ＢＨＣＡ変動情報および前記ソフトウェア負荷量変動情報が報告される度に、それらの値を比較して両者が近づくように擬似呼の負荷量となるＢＨＣＡを決定して出力する擬似呼負荷量制御部と、
前記ＢＨＣＡに基づいて擬似呼シグナリングを発生させ、前記無線基地局装置へ出力し、無線基地局装置から擬似呼シグナリングを受けると、無線基地局装置における擬似呼シグナリングの成功数と不成功数を成功呼／不成功呼情報として出力する擬似呼シグナリング処理部と、
前記成功呼／不成功呼情報により、擬似呼シグナリングが不成功であった呼をカウントし呼損率を計測する呼損率計測部とを設けたことを特徴とする擬似呼負荷発生装置。
【請求項２】
前記擬似呼負荷量制御部には複数のベアラの負荷比率が試験者によって設定され、擬似呼負荷量制御部は、各ベアラの負荷比率を保ちつつ、前記ＢＨＣＡを決定して出力する機能、
前記擬似呼シグナリング処理部は、前記ＢＨＣＡに基づいて複数のベアラに対応した擬似呼シグナリングを発生させ、前記無線基地局装置へ出力し、無線基地局装置から複数のベアラに対応した擬似呼シグナリングを受けると、無線基地局装置における擬似呼シグナリングの成功数と不成功数をベアラ毎の成功呼／不成功呼情報を出力する機能、
前記呼損率計測部は、前記成功呼／不成功呼情報により、擬似呼シグナリングが不成功であった呼をベアラ毎にカウントし呼損率を計測する機能をそれぞれ備えたことを特徴とする請求項１に記載の擬似呼負荷発生装置。
【請求項３】
前記スケジューリング設定部には時間軸に対して一定となる無線基地局装置のソフトウェア負荷量を設定して、前記擬似呼シグナリングを出力し、前記擬似呼負荷量制御部における比較の結果により前記無線基地局装置のソフトウェア負荷量を一定とさせた時の単位時間のＢＨＣＡから、前記擬似呼シグナリング処理能力限界値を測定することを特徴とする請求項１または請求項２に記載の擬似呼負荷発生装置。
【請求項４】
前記ソフトウェア負荷量としてＣＰＵ使用率を使用することを特徴とする請求項１ないし請求項３のいずれかに記載の擬似呼負荷発生装置。
【発明の詳細な説明】
【０００１】
【発明の属する技術分野】
本発明は無線基地局装置の負荷評価を行うための擬似呼負荷発生装置に関する。
【０００２】
【従来の技術】
従来、無線基地局装置の負荷耐力を計る負荷評価は、通常、擬似呼発生装置で発生させる擬似呼負荷量を評価開始前に試験者が予め設定して行っている（従来技術１。文献公知発明に係わるものではない）。擬似呼とは運用上自然に発生する呼ではなく試験上発生させる呼をいう。
【０００３】
また、負荷評価に関する技術ではないが、特定の被呼者番号への不成功の呼が一定の閾値を超えると、負荷量を下げるシグナリング負荷制御装置の呼制限システムが知られており（従来技術２。例えば、特許文献１参照）、従来、このような呼制限システムを無線基地局装置の負荷評価に利用している。
【０００４】
【特許文献１】
特表平９−５０６４８４（第１−第１６頁、図４）
【０００５】
【発明が解決しようとする課題】
しかしながら、従来技術１では、擬似呼負荷量を予め設定するため、一定の擬似呼負荷量しか与えられず、また、従来技術２では、不成功呼を検出して負荷量を決定するため、不成功呼の発生率が一定となるように収束した擬似呼負荷量による評価しか行えない。しかし、現実の無線基地局装置の負荷量は時間とともに変動する。従って、上述した従来技術によると、現実の無線基地局装置の実態に応じた負荷に対する評価をすることができないという問題点がある。
【０００６】
そこで、本発明の目的は、被評価装置となる無線基地局装置の負荷量変動に沿った評価が可能な擬似呼負荷発生装置を提供することにある。
【０００７】
【課題を解決するための手段】
本発明の擬似呼負荷発生装置は、試験者によって予め設定される無線基地局装置のソフトウェア負荷量の変動推移からＢＨＣＡを決定するためのＢＨＣＡ変動情報を出力するスケジューリング設定部（図１の１）と、無線基地局装置が常時計測している無線基地局装置のソフトウェア負荷量を受け取り、ソフトウェア負荷量変動情報を出力するソフトウェア負荷量監視部（図１の２）と、ＢＨＣＡ変動情報およびソフトウェア負荷量変動情報が報告される度に、それらの値を比較して両者が近づくように擬似呼の負荷量となるＢＨＣＡを決定して出力する擬似呼負荷量制御部（図１の３）と、ＢＨＣＡに基づいて擬似呼シグナリングを発生させ、無線基地局装置へ出力し、無線基地局装置から擬似呼シグナリングを受けると、無線基地局装置における擬似呼シグナリングの成功数と不成功数を成功呼／不成功呼情報として出力する擬似呼シグナリング処理部（図１の４）と、成功呼／不成功呼情報により、擬似呼シグナリングが不成功であった呼をカウントし呼損率を計測する呼損率計測部（図１の５）とを設けたことを特徴とする。
【０００８】
このような構成を採用することにより、無線基地局装置のソフトウェア負荷量の変動を任意曲線化させた擬似呼負荷試験が可能となるので、現実の無線基地局装置の運用実態に応じた負荷に対する評価をすることができることになる。
【０００９】
また、擬似呼負荷量制御部には複数のベアラの負荷比率が試験者によって設定され、擬似呼負荷量制御部は、各ベアラの負荷比率を保ちつつ、ＢＨＣＡを決定して出力する機能、擬似呼シグナリング処理部は、ＢＨＣＡに基づいて複数のベアラに対応した擬似呼シグナリングを発生させ、無線基地局装置へ出力し、無線基地局装置から複数のベアラに対応した擬似呼シグナリングを受けると、無線基地局装置における擬似呼シグナリングの成功数と不成功数をベアラ毎の成功呼／不成功呼情報を出力する機能、呼損率計測部は、成功呼／不成功呼情報により、擬似呼シグナリングが不成功であった呼をベアラ毎にカウントし呼損率を計測する機能をそれぞれ備えるようにしてもよい。
【００１０】
このような構成を採用することにより、複数のサービスを提供している無線基地局装置についても、そのサービス比率を維持しつつ、運用実態に応じた負荷に対する評価をすることができることになる。
【００１１】
【発明の実施の形態】
次に、本発明の実施の形態について図面を参照して説明する。
【００１２】
図１は，本発明の擬似呼負荷発生装置の一実施例を示すブロック図である。この擬似呼負荷発生装置は、無線基地局装置（図示省略）に対して、負荷量の一指標となり、かつ変動するＣＰＵ使用率を試験条件として与え、呼損率を計測することによって無線基地局装置の負荷評価を行うものである。
【００１３】
図１において、擬似呼負荷発生装置は、スケジューリング設定部１，ソフトウェア負荷量監視部２，擬似呼負荷量制御部３，擬似呼シグナリング処理部４および呼損率計測部５から構成されている。
【００１４】
スケジューリング設定部１には、試験者によって外部から与えられ、試験条件となる無線基地局装置のＣＰＵ使用率ａの変動推移が予め設定される。ＣＰＵ使用率は、ソフトウェア負荷量の指標となり得るものであって、図２（Ａ）に例示するように時間とともに変動する。スケジューリング設定部１はＣＰＵ使用率の変動推移からＢＨＣＡ（Ｂｕｓｙ  Ｈｏｕｒ  Ｃａｌｌ  Ａｔｔｅｍｐｔ）を決定するためのＢＨＣＡ変動情報ｂを擬似呼負荷量制御部３へ出力する。
【００１５】
一方、ソフトウェア負荷量監視部２は、無線基地局装置が常時計測している無線基地局装置のＣＰＵ使用率ｃを受け取り、ＣＰＵ使用率変動情報ｄを擬似呼負荷量制御部３へ出力する。
【００１６】
擬似呼負荷量制御部３は、スケジューリング部１からＢＨＣＡ変動情報ｂおよびソフトウェア負荷量監視部２からＣＰＵ使用率変動情報ｄが報告される度に、それらの値を比較して擬似呼の負荷量となるＢＨＣＡｅを決定し、擬似呼シグナリング処理部４に出力する。
【００１７】
擬似呼シグナリング処理部４は、擬似呼負荷量制御部３から通知されたＢＨＣＡｅに基づき、擬似呼シグナリングｆを発生させ、無線基地局装置へ出力する。また、無線基地局装置から擬似呼シグナリングｆを受けると、無線基地局装置における擬似呼シグナリングの成功数と不成功数を成功呼／不成功呼情報ｇとして呼損率計測部５に出力する。呼損率計測部５は、成功呼／不成功呼情報ｇにより、擬似呼シグナリングｆが不成功であった呼をカウントし呼損率を計測する。
【００１８】
図２（Ａ）はスケジューリング設定部１に予め設定されるＣＰＵ使用率ａの変動推移の例を示している。試験者は、意図するところにより図２のようなスケジュールを設定できる。図２（Ｂ）は、図２（Ａ）のようなＣＰＵ使用率ａの変動推移（点線で重畳図示）が設定された場合に、無線基地局装置からＣＰＵ使用率ｃによって擬似呼シグナリング処理部４に通知される試験実施中における無線基地局装置のＣＰＵ使用率ｃの推移例を実線で示す。
【００１９】
図２（Ｂ）において、＊Ａを付した時間帯は、無線基地局装置のＣＰＵ使用率ｃが設定されたＣＰＵ使用率ａを下回り、＊Ｂを付した時間帯は無線基地局装置のＣＰＵ使用率ｃが設定されたＣＰＵ使用率ａ以上であることを示している。
【００２０】
擬似呼負荷量制御部３は、ＣＰＵ使用率ｃをＣＰＵ使用率ａに近つけるようにＢＨＣＡｅを変動させる。即ち、スケジューリング設定部１に設定されたＣＰＵ使用率ａと無線基地局装置にける評価時のＣＰＵ使用率ｃを比較し、後者が前者よりも小さい場合（＊Ａ）には、ＢＨＣＡｅを増やして無線基地局装置のＣＰＵ使用率ｃを増加させる。また、逆に後者が前者よりも大きい場合（＊Ｂ）には、ＢＨＣＡｅを減らして無線基地局装置のＣＰＵ使用率ｃを減少させる。
【００２１】
図２（Ｃ）は、無線基地局装置のＣＰＵ使用率ｃがスケジューリングされたＣＰＵ使用率ａに一致するように擬似呼負荷量制御部３において制御されたＢＨＣＡｅの推移例である。
【００２２】
このように、上記実施例では、評価時における無線基地局装置のＣＰＵ使用率ｃと、予めスケジューリングされたＣＰＵ使用率ａにより、擬似呼の単位時間当りの負荷発生量となるＢＨＣＡｅへのフィードバック制御を行っているので、無線基地局装置のＣＰＵ使用率ｃ、すなわちソフトウェア負荷量が一定の状態でなく、予め設定するスケジューリングに沿った負荷量に対する無線基地局装置の擬似呼負荷安定試験が可能となる。
【００２３】
また、ＣＰＵ使用率ａを時間軸に対して一定となるようにスケジューリングをした場合、ＣＰＵ使用率ｃを一定とさせた時の単位時間のＢＨＣＡｅが、その負荷量における擬似呼負荷発生装置の処理能力値となっているので、任意のソフトウェア負荷状態における擬似呼負荷発生装置の擬似呼シグナリング処理能力限界値の測定、ひいては擬似呼負荷発生装置の処理能力の評価が可能になるという効果もある。
【００２４】
【発明の他の実施例】
本発明の他の実施例として、その基本的な構成は上記実施例と同様であるが、複数のベアラ（サービス）を想定し、複数の擬似呼シーケンスを使用した無線基地局装置の擬似呼負荷安定試験をする場合の擬似呼負荷発生装置について説明する。図３はＮ個のベアラに対応した本実施例の構成を示すブロック図である。
【００２５】
本実施例の擬似呼負荷量制御部３０には、ソフトウェア負荷量監視部２からＣＰＵ使用率変動情報ｄの他、各ベアラの負荷比率Ｈが試験者によって設定されている。擬似呼負荷量制御部３０は、各ベアラの負荷比率Ｈを保ちつつ、Ｎ個の擬似呼シーケンスの負荷量を管理するために新たにパラメータ化したＣＰＵ使用率ｃをＣＰＵ使用率ａに近つけるようにＢＨＣＡｅを変動させる。
【００２６】
擬似呼シグナリング処理部４０は、擬似呼負荷量制御部３から通知されたＢＨＣＡｅに基づき、Ｎ個のベアラに対応したＮ個の擬似呼シグナリングｆを発生させ、無線基地局装置へ出力する。また、無線基地局装置からＮ個のベアラに対応したＮ個の擬似呼シグナリングｆを受けると、無線基地局装置における擬似呼シグナリングの成功数と不成功数をＮ個のベアラ毎の成功呼／不成功呼情報Ｇとして呼損率計測部５に通知する。呼損率計測部５は、成功呼／不成功呼情報Ｇにより、擬似呼シグナリングｆが不成功であった呼をＮ個のベアラ毎にカウントし呼損率を計測する。
【００２７】
図４（Ａ）は、同一頁への記載により図４（Ｂ）の理解に便宜を与えるため図２（Ｂ）を転写したものであり、本実施例による、３個のベアラの擬似呼シグナリングを使用した負荷動作評価を行った際の試験実施中における無線基地局装置のＣＰＵ使用率ｃの推移例を示す。また、図４（Ｂ）は、無線基地局装置のＣＰＵ使用率ｃがスケジューリングされたＣＰＵ使用率ａに一致するように擬似呼負荷量制御部３において制御された３個のベアラそれぞれについてＢＨＣＡｅの推移例を示す。
【００２８】
このように本実施例では、複数のベアラが存在する場合に、予め設定した各ベアラの負荷比率を変化させず、スケジューリングされた無線基地局装置のソフトウェア負荷量を任意曲線化させた擬似呼負荷安定試験が可能となる。
【００２９】
また、ベアラが単一である場合と同様に、ＣＰＵ使用率ａを時間軸に対して一定となるようにスケジューリングをした場合、ＣＰＵ使用率ｃを一定とさせた時の単位時間のＢＨＣＡｅが、その負荷量における擬似呼負荷発生装置の処理能力値となっているので、任意の負荷比率で複数ベアラが存在する場合であっても、任意のソフトウェア負荷状態における擬似呼負荷発生装置の擬似呼シグナリング処理能力限界値の測定、ひいては擬似呼負荷発生装置の処理能力の評価が可能になるという効果もある。
【００３０】
【発明の効果】
本発明の第１の効果は、無線基地局装置のソフトウェア負荷変動の試験条件を擬似呼負荷発生装置に予め設定し、擬似呼負荷発生装置が評価中の実際の負荷変動を監視することにより、擬似呼の発生負荷量を制御する構成としたため、無線基地局装置のソフトウェア負荷量の変動を任意曲線化させた擬似呼負荷試験が可能となるので、現実の無線基地局装置の運用実態に応じた負荷に対する評価をすることができるということである。
【００３１】
本発明の第２の効果は、擬似呼負荷発生装置に設定する無線基地局装置のソフトウェア負荷量変動の試験条件を、測定したい負荷状態の一定値に設定すれば、一定に収束した単位時間当りの擬似呼発生数が、その負荷状態における無線基地局装置の擬似呼シグナリング処理能力限界値となるため、任意のソフトウェア負荷状態における擬似呼負荷発生装置の擬似呼シグナリング処理能力限界値の測定、ひいては擬似呼負荷発生装置の処理能力の評価が可能になるということである。
【００３２】
本発明の第３の効果は、無線基地局装置のソフトウェア負荷変動の試験条件を、擬似呼負荷発生装置に予め設定し、擬似呼負荷発生装置が評価中の無線基地局装置の実際の負荷変動を監視することにより、各ベアラの負荷比率が変わらぬように、各ベアラ毎の単位時間あたりの擬似呼発生量を制御するため、複数ベアラの擬似呼シーケンスを用いて、各ベアラの負荷比率を変化させずに、無線基地局装置のソフトウェア負荷量の変動を任意曲線化させた擬似呼負荷試験が可能になるということである。
【図面の簡単な説明】
【図１】本発明の擬似呼負荷発生装置の一実施例を示すブロック図
【図２】図１に示した実施例の動作を説明するためのタイムチャートであり、図２（Ａ）はスケジューリング設定部１に予め設定されるＣＰＵ使用率ａの変動推移の例を示す図、図２（Ｂ）は評価時における無線基地局装置のＣＰＵ使用率ｃの推移例を示す図、図２（Ｃ）は擬似呼負荷量制御部３において制御されたＢＨＣＡｅの推移例を示す図
【図３】本発明の擬似呼負荷発生装置の他の実施例を示すブロック図
【図４】図３に示した実施例の動作を説明するためのタイムチャートであり、図４（Ａ）は評価時における無線基地局装置のＣＰＵ使用率ｃの推移例を示す図、図４（Ｂ）は擬似呼負荷量制御部３０において制御されたＢＨＣＡｅの推移例を示す図
【符号の説明】
１        スケジューリング設定部
２        ソフトウェア負荷量監視部
３        擬似呼負荷量制御部
４        擬似呼シグナリング処理部
５        呼損率計測部
３０      擬似呼負荷量制御部
４０      擬似呼シグナリング処理部
５０      呼損率計測部
ａ        ＣＰＵ使用率
ｂ        ＢＨＣＡ変動情報
ｃ        ＣＰＵ使用率
ｄ        ＣＰＵ使用率変動情報
ｅ        ＢＨＣＡ
ｆ        擬似呼シグナリング
ｇ        成功呼／不成功呼情報
Ｈ        ベアラ負荷比率
【図１】
2004228618.tif 000003
【図２】
2004228618.tif 000004
【図３】
2004228618.tif 000005
【図４】
2004228618.tif 000006